(57)【特許請求の範囲】
【請求項１】
複数のパラメータが所定の配列にしたがって格納されたパラメータ格納手段と、
このパラメータ格納手段に格納されている各パラメータを表示可能な表示手段と、
この表示手段により表示された各パラメータに対応してパラメータ値を設定可能な設定手段と、
この設定手段により設定されたパラメータ値を格納するパラメータ値格納手段とを備えたインバータ装置において、
前記設定手段によりパラメータ値がそれよりも以前に設定されていたパラメータ値に対して変更されて設定されて前記パラメータ値格納手段に格納されたことに伴って、その設定変更された回数を示す設定変更回数を前記各パラメータ毎に格納する設定変更回数格納手段と、
この設定変更回数格納手段に格納されている設定変更回数に基づいて前記各パラメータの表示順序を確定し、その確定した表示順序にしたがって前記パラメータ格納手段に格納されている各パラメータを前記表示手段により順次表示させる制御手段とを備え、
前記制御手段は、前記設定変更回数格納手段に格納されている設定変更回数のうちの各種機能毎にあらかじめ設定された所定のパラメータに対応した設定変更回数を、あらかじめ設定された所定の設定変更回数に変更可能に構成されていることを特徴とするインバータ装置。
【請求項２】
複数のパラメータが所定の配列にしたがって格納されたパラメータ格納手段と、
このパラメータ格納手段に格納されている各パラメータを表示可能な表示手段と、
この表示手段により表示された各パラメータに対応してパラメータ値を設定可能な設定手段と、
この設定手段により設定されたパラメータ値を格納するパラメータ値格納手段とを備えたインバータ装置において、
前記設定手段によりパラメータ値がそれよりも以前に設定されていたパラメータ値に対して変更されて設定されて前記パラメータ値格納手段に格納されたことに伴って、その設定変更された回数を示す設定変更回数を前記各パラメータ毎に格納する設定変更回数格納手段と、
この設定変更回数格納手段に格納されている設定変更回数に基づいて前記各パラメータの表示順序を確定し、その確定した表示順序にしたがって前記パラメータ格納手段に格納されている各パラメータを前記表示手段により順次表示させる制御手段とを備え、
前記制御手段は、前記設定変更回数格納手段に格納されている設定変更回数のうちの各種機能毎にあらかじめ設定された所定のパラメータに対応した設定変更回数を、あらかじめ設定された所定の設定変更回数に変更可能であると共に、前記所定のパラメータに対応したパラメータ値を、あらかじめ設定された所定のパラメータ値に変更可能に構成されていることを特徴とするインバータ装置。
【請求項３】
前記制御手段は、前記各パラメータの表示順序を前記設定変更回数格納手段に格納されている設定変更回数の降順もしくは昇順にしたがって確定するように構成されていることを特徴とする請求項１または２記載のインバータ装置。
【請求項４】
前記設定変更回数格納手段に格納されている設定変更回数を初期化する初期化手段を備え、
前記制御手段は、常には、前記設定変更回数格納手段に格納されている設定変更回数に基づいて確定された表示順序にしたがって前記各パラメータを前記表示手段により順次表示させると共に、前記初期化手段により前記設定変更回数格納手段に格納されている設定変更回数が初期化されているときには、前記パラメータ格納手段に設定されている所定の配列にしたがって前記各パラメータを前記表示手段により順次表示させるように構成されていることを特徴とする請求項１ないし３のいずれかに記載のインバータ装置。
【請求項５】
前記設定変更回数格納手段に格納されている設定変更回数を一時的もしくは永久的に記憶保持可能な設定変更回数記憶保持手段を備え、
前記制御手段は、前記設定変更回数格納手段に格納されている設定変更回数を前記設定変更回数記憶保持手段に記憶保持可能であると共に、前記設定変更回数記憶保持手段に記憶保持されている設定変更回数を前記設定変更回数格納手段に格納可能に構成されていることを特徴する請求項１ないし４のいずれかに記載のインバータ装置。
【請求項６】
外部装置を接続可能な外部装置接続手段を備え、
前記制御手段は、前記設定変更回数格納手段に格納されている設定変更回数を前記外部装置接続手段により前記外部装置との間で転送可能に構成されていることを特徴とする請求項１ないし５のいずれかに記載のインバータ装置。
【発明の詳細な説明】
【０００１】
【発明の属する技術分野】
本発明は、複数のパラメータが所定の配列に格納されたパラメータ格納手段と、このパラメータ格納手段に格納されている各パラメータを表示可能な表示手段と、この表示手段により表示された各パラメータに対応してパラメータ値を設定可能な設定手段と、この設定手段により設定されたパラメータ値を格納するパラメータ値格納手段とを備えたインバータ装置に関する。
【０００２】
【従来の技術】
従来より、表示器を備えたインバータ装置においては、使用者は、各種のパラメータを表示器に表示させることによって、その表示されているパラメータに対応して、インバータ装置の制御に必要なパラメータ値を設定することができるようになっている。
【０００３】
すなわち、使用者は、パラメータとして例えば加速時間や減速時間を設定する場合には、その加速時間や減速時間を示すパラメータ表示を表示器に表示させることによって、そのパラメータ値として例えば５．０（秒）や１０．０（秒）を設定することができ、また、パラメータとして例えば上限周波数や下限周波数を設定する場合には、その上限周波数や下限周波数を示すパラメータ表示を表示器に表示させることによって、そのパラメータ値として例えば６０．０（Ｈｚ）や５０．０（Ｈｚ）を設定することができるようになっている。図２３は、そのようなインバータ装置の構成を機能ブロックにして示している。
【０００４】
図２３において、インバータ装置１は、加速時間、減速時間、上限周波数ならびに下限周波数などの各種のパラメータが所定の配列にしたがって格納されたパラメータ格納部２、このパラメータ格納部２から読出された各パラメータを表示器３により表示させる表示部４、パネルキー５の操作により上記表示器３に表示されているパラメータに対応したパラメータ値が設定される設定部６、この設定部６により設定されたパラメータ値が格納されるパラメータ値格納部７、例えばインダクションモータからなる電動機８を駆動するためのインバータ回路部９ならびにこれらを制御する制御回路１０を備えて構成されている。
【０００５】
尚、これ以降、上記パラメータ格納部２に格納されているパラメータ、つまり、上述した加速時間、減速時間、上限周波数ならびに下限周波数などの各種のパラメータうちのいくつをパラメータＡ〜Ｆとして説明する。
【０００６】
このような構成によれば、使用者がパネルキー５によりパラメータ表示操作を行うと、このとき、各パラメータＡ〜Ｆが例えば図２４に示すような配列、つまり、パラメータＡ，パラメータＢ，パラメータＣ，パラメータＤ，パラメータＥ，パラメータＦの順序にしたがってパラメータ格納部２に格納されている場合には、制御回路１０は、その配列にしたがって、図２５に示すパラメータ表示処理を実行し（ステップＳ１〜Ｓ６を実行し）、各パラメータＡ〜Ｆを表示部４により表示器３に順次表示させる。これにより、使用者は、表示器３に順次表示された各パラメータＡ〜Ｆに対して、それぞれパラメータ値を順次設定することが可能となる。
【０００７】
ところが、このものでは、仮に、例えばパラメータＡ，パラメータＢ，パラメータＤ，パラメータＦについては、それらのパラメータ値が工場出荷時の設定のままで良く、つまり、パラメータ値を変更して設定する必要がなく、パラメータＣ，パラメータＥについてのみパラメータ値を変更して設定する必要がある場合であっても、各パラメータＡ〜Ｆは、上述したパラメータ格納部２に設定された配列にしたがって、表示器３に順次表示されることになる。
【０００８】
そのため、使用者がパラメータＣ，パラメータＥをそれぞれ表示器３に表示させ、それぞれに対してパラメータ値を変更して設定するにあたっては、パラメータＣが表示されるよりも先に、パラメータ値を変更する必要がないパラメータＡ，パラメータＢが表示され、パラメータＥが表示されるよりも先に、パラメータ値を変更する必要がないパラメータＤが表示されることになり、その分、使い勝手に劣っていた。
【０００９】
そこで、このような問題を解決するために、図２６に示す構成が考えられている。図２６において、インバータ装置１１は、図２３に示したインバータ装置１の構成に、パラメータ補助格納部１２を加えて構成されている。この場合、パラメータ補助格納部１２には、上記パラメータ格納部２に格納されている各パラメータＡ〜Ｆが、その配列が変更されて格納されるようになっている。
【００１０】
このような構成によれば、使用者がパラメータ格納部２に格納されている各パラメータＡ〜Ｆを、例えば図２７に示すような配列、つまり、パラメータＣ，パラメータＥ，パラメータＡ，パラメータＢ，パラメータＤ，パラメータＦの順序に変更してパラメータ補助格納部１２に格納し、パネルキー５によりパラメータ表示操作を行うと、制御回路１０は、そのパラメータ補助格納部１２に変更されて設定された配列にしたがって、図２８に示すパラメータ表示処理を実行し（ステップＳ７〜Ｓ１２を実行し）、各パラメータＡ〜Ｆを表示器３に順次表示させる。
【００１１】
これにより、使用者は、各パラメータＡ〜Ｆを所望の表示順序、この場合であれば、パラメータ値を変更する必要があるパラメータＣ，パラメータＥを順次表示させ、続いて、パラメータ値を変更する必要がないパラメータＡ，パラメータＢ，パラメータＤ，パラメータＦを順次表示させることが可能となる。
【００１２】
また、上記した問題を解決するために、他の例として、図２９に示す構成が考えられている。図２９において、インバータ装置１３は、図２３に示したインバータ装置１の構成に、変更情報格納部１４を加えて構成されている。この場合、変更情報格納部１４には、各パラメータＡ〜Ｆ毎に、それら各パラメータ値が、それぞれそれよりも以前に設定されていたパラメータ値に対して、変更されて設定されたか否かの変更情報が例えば図３０に示すように格納されるようになっている。
【００１３】
このような構成によれば、使用者がパネルキー５によりパラメータ表示操作を行うと、制御回路１０は、変更情報格納部１４に格納されている変更情報を読出し、その変更情報にしたがって「変更有」のパラメータを読出し、図３１に示すパラメータ表示処理を実行し（ステップＳ１３，Ｓ１４を実行し）、パラメータ格納部２から各パラメータＡ〜Ｆのうちの「変更有」のパラメータを表示器３に順次表示させる。
【００１４】
これにより、使用者は、それよりも以前にパラメータ値を変更して設定したパラメータ、この場合であれば、パラメータＣ，パラメータＥのみを表示器３に順次表示させることが可能となり、それらのパラメータ値を順次設定することが可能となる。
【００１５】
【発明が解決しようとする課題】
しかしながら、上述した図２６ならびに図２９の構成のものにおいては、それぞれ以下に示す問題があった。
【００１６】
すなわち、図２６に示した構成のものでは、使用者は、パラメータ格納部２に設定されている各パラメータＡ〜Ｆを、その配列を変更してパラメータ補助格納部１２に格納するという操作が必要になり、つまり、各パラメータＡ〜Ｆの配列を変更するという操作を意識しておく必要があり、その分、使い勝手に劣っていた。
【００１７】
また、図２９に示した構成のものでは、使用者は、それよりも以前にパラメータ値を変更して設定したパラメータのみを表示器３に表示させることは可能となるが、その場合、表示器３に表示されるか否かは、パラメータ値がそれよりも以前に変更されて設定されたか否かに依存するものである。
【００１８】
そのため、仮に、パラメータＣ，パラメータＥのうち、パラメータＥの方がパラメータＣよりも変更して設定する頻度が高く、パラメータＥのみを変更して設定する場合であっても、パラメータＣ，パラメータＥがいずれも「変更有」に設定されているので、パラメータ値を変更する必要があるパラメータＥが表示されるよりも先に、パラメータ値を変更する必要がないパラメータＣが表示されることになる。このように、設定変更の頻度が高いパラメータＥを優先して表示させることができず、その分、使い勝手に劣っていた。
【００１９】
本発明は、上記事情に鑑みてなされたものであり、その目的は、複数のパラメータが所定の配列に格納されたパラメータ格納手段と、このパラメータ格納手段に格納されている各パラメータを表示可能な表示手段と、この表示手段により表示された各パラメータに対応してパラメータ値を設定可能な設定手段と、この設定手段により設定されたパラメータ値を格納するパラメータ値格納手段とを備えたものにおいて、使い勝手の向上を図ることができるインバータ装置を提供することにある。
【００２０】
【課題を解決するための手段】
本発明のインバータ装置は、
複数のパラメータが所定の配列にしたがって格納されたパラメータ格納手段と、
このパラメータ格納手段に格納されている各パラメータを表示可能な表示手段と、
この表示手段により表示された各パラメータに対応してパラメータ値を設定可能な設定手段と、
この設定手段により設定されたパラメータ値を格納するパラメータ値格納手段とを備えたものにおいて、
前記設定手段によりパラメータ値がそれよりも以前に設定されていたパラメータ値に対して変更されて設定されて前記パラメータ値格納手段に格納されたことに伴って、その設定変更された回数を示す設定変更回数を前記各パラメータ毎に格納する設定変更回数格納手段と、
この設定変更回数格納手段に格納されている設定変更回数に基づいて前記各パラメータの表示順序を確定し、その確定した表示順序にしたがって前記パラメータ格納手段に格納されている各パラメータを前記表示手段により順次表示させる制御手段とを備え、
前記制御手段は、前記設定変更回数格納手段に格納されている設定変更回数のうちの各種機能毎にあらかじめ設定された所定のパラメータに対応した設定変更回数を、あらかじめ設定された所定の設定変更回数に変更可能に構成されているところに特徴を有する（請求項１）。
また、本発明のインバータ装置は、
複数のパラメータが所定の配列にしたがって格納されたパラメータ格納手段と、
このパラメータ格納手段に格納されている各パラメータを表示可能な表示手段と、
この表示手段により表示された各パラメータに対応してパラメータ値を設定可能な設定手段と、
この設定手段により設定されたパラメータ値を格納するパラメータ値格納手段とを備えたものにおいて、
前記設定手段によりパラメータ値がそれよりも以前に設定されていたパラメータ値に対して変更されて設定されて前記パラメータ値格納手段に格納されたことに伴って、その設定変更された回数を示す設定変更回数を前記各パラメータ毎に格納する設定変更回数格納手段と、
この設定変更回数格納手段に格納されている設定変更回数に基づいて前記各パラメータの表示順序を確定し、その確定した表示順序にしたがって前記パラメータ格納手段に格納されている各パラメータを前記表示手段により順次表示させる制御手段とを備え、
前記制御手段は、前記設定変更回数格納手段に格納されている設定変更回数のうちの各種機能毎にあらかじめ設定された所定のパラメータに対応した設定変更回数を、あらかじめ設定された所定の設定変更回数に変更可能であると共に、前記所定のパラメータに対応したパラメータ値を、あらかじめ設定された所定のパラメータ値に変更可能に構成されているところに特徴を有する（請求項２）。
【００２１】
上記構成のインバータ装置によれば、使用者がパラメータ値をそれよりも以前に設定されていたパラメータ値に対して変更して設定すると、設定変更回数格納手段は、各パラメータ毎に、その設定変更された回数を示す設定変更回数を格納する。そして、これ以降、制御手段は、パラメータ格納手段に格納されている各パラメータを表示手段により表示させるにあたっては、それら各パラメータの表示順序を上記設定変更回数格納手段に格納されている設定変更回数に基づいて確定し、その確定した表示順序にしたがって各パラメータを表示手段により順次表示させる。
【００２２】
しかして、このものでは、各パラメータが設定変更回数に基づいて表示されるようになるので、使用者は、各パラメータを表示させるにあたっては、例えば設定変更回数が多いパラメータ、つまり、それよりも以前に頻繁に設定変更されたパラメータから表示させることが可能となる。これによって、変更する必要があるパラメータを、変更する必要がないパラメータよりも優先させて表示させることができ、さらには、その表示されたパラメータに対してパラメータ値を設定することができる。
【００２３】
このとき、従来とは異なって、パラメータ格納手段に設定されているパラメータの配列を変更するという操作が不要となり、また、パラメータが表示手段に表示されるにあたっては、パラメータ値がそれよりも以前に変更されて設定されたか否かの変更情報に依存するものではなく、設定変更回数に依存するものであるので、例えば設定変更の頻度が高いパラメータを設定変更の頻度が低いパラメータよりも優先させて表示させることができる。
【００２４】
この場合、上記インバータ装置において、
前記制御手段を、前記各パラメータの表示順序を前記設定変更回数格納手段に格納されている設定変更回数の降順もしくは昇順にしたがって確定するように構成しても良い（請求項３）。
【００２８】
また、上記インバータ装置において、
前記設定変更回数格納手段に格納されている設定変更回数を初期化する初期化手段を備え、
前記制御手段を、常には、前記設定変更回数格納手段に格納されている設定変更回数に基づいて確定された表示順序にしたがって前記各パラメータを前記表示手段により順次表示させると共に、前記初期化手段により前記設定変更回数格納手段に格納されている設定変更回数が初期化されているときには、前記パラメータ格納手段に設定されている所定の配列にしたがって前記各パラメータを前記表示手段により順次表示させるように構成しても良い（請求項４）。
【００２９】
また、上記インバータ装置において、
前記設定変更回数格納手段に格納されている設定変更回数を一時的もしくは永久的に記憶保持可能な設定変更回数記憶保持手段を備え、
前記制御手段を、前記設定変更回数格納手段に格納されている設定変更回数を前記設定変更回数記憶保持手段に記憶保持可能であると共に、前記設定変更回数記憶保持手段に記憶保持されている設定変更回数を前記設定変更回数格納手段に格納可能に構成しても良い（請求項５）。
【００３０】
さらに、上記インバータ装置において、
外部装置を接続可能な外部装置接続手段を備え、
前記制御手段は、前記設定変更回数格納手段に格納されている設定変更回数を前記外部装置接続手段により前記外部装置との間で転送可能に構成しても良い（請求項６）。
【００３１】
【発明の実施の形態】
以下、本発明の第１実施例について図１ないし図１０を参照して説明する。◎まず、インバータ装置の外観斜視図を示す図２において、インバータ装置２１は、本体２２にフロントカバー２３が開閉可能に設けられて構成されている。本体２２の前面部にはパネル２４が配設されており、フロントカバー２３が閉じられた状態では、そのパネル２４の一部がフロントカバー２３の窓部２３ａより露出するようになっている。
【００３２】
次に、フロントカバー２３が開かれた状態を示す図３において、上記パネル２４には、ボリューム２５、詳しくは後述する表示器２６が設けられていると共に、ＲＵＮキー２７、ＳＴＯＰキー２８、アップキー２９、ダウンキー３０、ＭＯＮ（モニタ）キー３１、ＥＮＴ（エンター）キー３２の各種キーが配設されている。尚、これ以降、これらの各種キーをパネルキー３３と総称する。
【００３３】
上記パネルキー３３のうちＲＵＮキー２７は、これを操作することによって、インバータ装置２１を運転することができると共に、ＳＴＯＰキー２８は、これを操作することによって、インバータ装置２１の運転を停止することができるようになっている。
【００３４】
また、パネルキー３３のうちのアップキー２９、ダウンキー３０、ＭＯＮキー３１ならびにＥＮＴキー３２は、これらを操作することによって、後述する各種のパラメータを表示器２６に表示させることができると共に、その表示されたパラメータに対して、上記インバータ装置２１を制御するにあたって必要なパラメータ値を設定することができるようになっている。
【００３５】
さらに、本体２２の前面部にあって上記パネル２４の下方には、制御端子台３４、延長パネル用コネクタ３５、主回路端子台３６、直流リアクトル接続用端子台３７，３７が配設されている。
【００３６】
前述した表示器２６は、図４に示すように、４個のＬＥＤ表示部３８ａ〜３８ｄを主体として構成されている。そして、各ＬＥＤ表示部３８ａ〜３８ｄは、それぞれ７個のＬＥＤによる点灯・消灯の組合わせによって数字や英字を表示可能となっており、それら数字や英字の組合わせによって表示されるパラメータやパラメータ値が識別されるようになっている。
【００３７】
次に、上記したインバータ装置２１の電気的構成について、図１を参照して説明する。
インバータ装置２１にあって制御手段としての制御回路４３は、マイクロコンピュータを主体として構成されており、この制御回路４３には、パラメータ格納手段としてのパラメータ格納部４４、表示手段としての表示部４５、設定手段としての設定部４６、パラメータ値格納手段としてのパラメータ値格納部４７、設定変更回数格納手段としての設定変更回数格納部４８ならびにインバータ回路部４９が接続されている。
【００３８】
パラメータ格納部４４は、複数のパラメータが所定の配列にしたがって格納されており、制御回路４３からパラメータ読出信号が与えられると、そのパラメータ読出信号に対応するパラメータが読出されるようになっている。
【００３９】
ここで、上述したパラメータについて説明する。このインバータ装置２１において使用される各種のパラメータは、全体で約４００種類程あり、それらは、図５に示すような階層構成となっている。すなわち、基本パラメータとしては、コマンドモード選択、周波数設定モード選択、加速時間、減速時間、最高周波数、上限周波数、下限周波数、基底周波数、拡張パラメータならびに変更設定検索などが定義されており、そのうちの拡張パラメータは、入出力パラメータ、周波数パラメータ、運転モードパラメータ、トルクアップモードパラメータ、加減速時間パラメータ、保護パラメータ、パネルパラメータならびに通信パラメータに細分化されて各パラメータが定義されている。
【００４０】
尚、この第１実施例では、これ以降、これらの各種のパラメータのうちのいくつかをパラメータＡ〜Ｆとし、それらパラメータＡ〜Ｆは、図６に示す配列、つまり、パラメータＡ，パラメータＢ，パラメータＣ，パラメータＤ，パラメータＥ，パラメータＦの順序にしたがって上記パラメータ格納部４４に格納されているものとして説明する。
【００４１】
上記設定部４６は、前述したパネルキー３３に接続されており、パネルキー３３が操作されると、その操作に応じた設定信号を制御回路４３に出力するようになっている。
【００４２】
パラメータ値格納部４７は、設定部４６により設定されたパラメータ値が格納可能に構成されており、制御回路４３からパラメータ値格納信号が与えられると、そのパラメータ値格納信号に対応するパラメータ値が格納されると共に、制御回路４３からパラメータ値読出信号が与えられると、そのパラメータ値読出信号に対応するパラメータ値が読出されるようになっている。
【００４３】
設定変更回数格納部４８は、パラメータ値がパラメータ値格納部４７に格納されたことに伴って、そのパラメータ値がそれよりも以前に設定されていたパラメータ値に対して変更されて格納されたときには、各パラメータ毎に、その変更されて格納された回数、つまり、設定変更回数が格納されるようになっている。
【００４４】
そして、この設定変更回数格納部４８は、制御回路４３から設定変更回数読出信号が与えられると、その格納されている設定変更回数を制御回路４３に出力するようになっている。尚、この実施例では、各パラメータＡ〜Ｆに対する設定変更回数は、図７に示すように、それぞれ１回，３回，６回，０回，４回，２回として上記設定変更回数格納部４８に格納されているものとして説明する。
【００４５】
さらに、インバータ回路部４９は、例えばインダクションモータからなる電動機５０に接続されており、制御回路４３から運転信号が与えられると、電動機５０を運転させると共に、制御回路４３から運転停止信号が与えられると、電動機５０の運転を停止させるようになっている。
【００４６】
次に、上記構成の作用について、図８ないし図１０も参照して説明する。
まず、使用者がパネルキー３３によりパラメータ表示操作を行うと、これに伴って、制御回路４３は、メインルーチン（図示せず）から抜けて、図８に示す表示制御処理に移行する。表示制御処理に移行した制御回路４３は、まず、設定変更回数格納部４８に設定変更回数読出信号を出力し、それに応じて、設定変更回数格納部４８に格納されている設定変更回数を入力する（ステップＳ２１）。
【００４７】
次いで、制御回路４３は、上記設定変更回数格納部４８から入力した設定変更回数に基づいて、パラメータ格納部４４に格納されている各パラメータＡ〜Ｆの配列を並び換える。具体的には、制御回路４３は、いま、各パラメータＡ〜Ｆが図６に示す配列にしたがってパラメータ格納部４４に格納されているので、その配列を設定変更回数の回数が大きいパラメータから設定変更回数の回数が小さいパラメータとなるように、つまり、降順となるように並び換える（ステップＳ２２）。
【００４８】
これにより、パラメータ格納部４４には、各パラメータＡ〜Ｆが、図９に示すような配列、つまり、パラメータＣ，パラメータＥ，パラメータＢ，パラメータＦ，パラメータＡ，パラメータＤの配列にしたがって格納されることになる。そして、制御回路４３は、この後、図１０に示すパラメータ表示処理に移行する（ステップＳ２３）。
【００４９】
パラメータ表示処理に移行した制御回路４３は、最初に、パラメータ格納部４４の先頭に格納されているパラメータＣを読出すパラメータ読出信号を上記パラメータ格納部４４に出力し、これによって、パラメータＣを読出し、その読出したパラメータＣのパラメータ表示を表示部４５により表示器２６に表示させる（ステップＳ２４）。
【００５０】
そして、制御回路４３は、これ以降、パラメータ格納部４４に格納されている並び換えられた配列にしたがって、これと同様にして、パラメータＥ，パラメータＢ，パラメータＦ，パラメータＡ，パラメータＤの各パラメータ表示を表示部４５により表示器２６に順次表示させる（ステップＳ２５〜Ｓ２９）。
【００５１】
そして、ステップＳ２９の処理を完了した制御回路４３は、前述した表示制御処理に復帰（リターン）し、さらには、前述したメインルーチンに復帰（リターン）する。
【００５２】
しかして、インバータ装置２１にあって制御回路４３は、パラメータ格納部４４に格納されている各パラメータＡ〜Ｆを表示器２６に表示させるにあたっては、それら各パラメータＡ〜Ｆに対応して設定変更回数格納部４８に格納されている設定変更回数を読出し、その読出した設定変更回数に基づいて各パラメータＡ〜Ｆの配列を並び換え、その並び換えた配列にしたがって各パラメータＡ〜Ｆを順次表示させるものである。
【００５３】
このように第１実施例によれば、使用者がパラメータ表示操作を行うと、制御回路４３は、設定変更回数格納部４８から設定変更回数を読出し、その読出した設定変更回数に基づいてパラメータ格納部４４に格納されている各パラメータＡ〜Ｆの配列を並び換え、その並び換えた配列にしたがって各パラメータＡ〜Ｆを表示器２６に順次表示させるように構成したので、各パラメータＡ〜Ｆは、それよりも以前に変更されて設定された回数、つまり、設定変更の頻度に基づいて順次表示されるようになる。しかして、使用者は、各パラメータＡ〜Ｆを、設定変更の頻度にしたがって表示させることができ、その表示されたパラメータに対してパラメータ値を設定することができ、これによって、使い勝手の向上を図ることができる。
【００５４】
特に、この第１実施例では、各パラメータＡ〜Ｆが、設定変更回数の回数が大きいパラメータＣ（設定変更回数が６回）から、設定変更回数の回数が小さいパラメータＤ（設定変更回数が０回）となるように、つまり、降順となるように順次表示されるように構成したので、設定変更の頻度が高いパラメータを設定変更の頻度が低いパラメータよりも優先して表示させることができ、これによって、使い勝手の向上をより図ることができる。
【００５５】
次に、本発明の第２実施例について、図１１ないし図１３を参照して説明する。尚、第１実施例と同一部分には同一符号ならびに同一ステップ番号を付して説明を省略し、以下、異なる部分について説明する。
この第２実施例では、制御回路４３は、図１１に示す表示制御処理において、前述した第１実施例の図８に示したステップＳ２２の処理に代えて、ステップＳ３１の処理を実行するようになっている。すなわち、制御回路４３は、パラメータ格納部４４に格納されている各パラメータＡ〜Ｆの配列を、設定変更回数の回数が小さいパラメータから設定変更回数の回数が大きいパラメータとなるように、つまり、昇順となるように並び換える（ステップＳ３１）。
【００５６】
これにより、パラメータ格納部４４には、各パラメータＡ〜Ｆが、図１２に示すような配列、つまり、パラメータＤ，パラメータＡ，パラメータＦ，パラメータＢ，パラメータＥ，パラメータＣの配列にしたがって格納されることになる。そして、これに伴って、制御回路４３は、図１３に示すパラメータ表示処理において、その並び換えられた配列にしたがって、パラメータＤ，パラメータＡ，パラメータＦ，パラメータＢ，パラメータＥ，パラメータＣの各パラメータ表示を表示部４５により表示器２６に順次表示させる（ステップＳ３２〜Ｓ３７）。
【００５７】
この第２実施例によれば、各パラメータＡ〜Ｆが、設定変更回数の回数が小さいパラメータＤ（設定変更回数が０回）から、設定変更回数の回数が大きいパラメータＣ（設定変更回数が６回）となるように、つまり、昇順となるように順次表示されるように構成したので、設定変更の頻度が低いパラメータを設定変更の頻度が高いパラメータよりも優先して表示させることができる。これによって、例えば一度も設定変更していないパラメータのパラメータ表示を速やかに表示させることができるなど、使い勝手の向上をより図ることができる。
【００５８】
次に、本発明の第３実施例について、図１４を参照して説明する。尚、第１実施例と同一部分には同一ステップ番号を付して説明を省略し、以下、異なる部分について説明する。
この第３実施例では、制御回路４３は、図１４に示すパラメータ表示処理において、前述した第１実施例の図１０に示したステップＳ２４〜Ｓ２９の処理に先立って、前述した図５に示した各種パラメータのうちのメーカ標準のパラメータを表示する処理を実行するようになっている（ステップＳ４１〜Ｓ４４）。尚、この第３実施例では、上記メーカ標準のパラメータのいくつかをパラメータＶ〜Ｙとして表している。
【００５９】
そして、ステップＳ４４の処理、つまり、メーカ標準のパラメータを表示する処理を完了した制御回路４３は、これに続いて、使用者がパネルキー３３により変更表示パラメータ表示操作を行ったか否かを判断し、変更表示パラメータ表示操作が行われたときに（ステップＳ４５において「ＹＥＳ」と判断）、前述した第１実施例で説明したステップＳ２４〜Ｓ２９の処理を実行する。
【００６０】
この第３実施例によれば、制御回路４３は、メーカ標準のパラメータＶ〜Ｙを順次表示させたのちに、使用者が変更パラメータ表示操作を行ったことを判断したときに、前述した各パラメータＡ〜Ｆを順次表示させるように構成したので、適宜、メーカ標準のパラメータＶ〜Ｙを表示させたのに続いて各パラメータＡ〜Ｆを表示させたり、あるいはメーカ標準のパラメータＶ〜Ｙのみを表示させて各パラメータＡ〜Ｆを表示させなかったりすることができ、これによって、使い勝手の向上をより図ることができる。
【００６１】
次に、本発明の第４実施例について、図１５を参照して説明する。尚、第３実施例と同一部分には同一ステップ番号を付して説明を省略し、以下、異なる部分について説明する。
この第４実施例では、制御回路４３は、図１５に示すパラメータ表示処理において、前述した第３実施例の図１４に示したステップＳ４１〜Ｓ４４の処理に続いて、自動的に、各パラメータＡ〜Ｆを表示する処理を実行するようになっている（ステップＳ２４〜Ｓ２９）。
【００６２】
この第４実施例によれば、制御回路４３は、メーカ標準のパラメータＶ〜Ｙを順次表示させたのちに、自動的に、前述した各パラメータＡ〜Ｆを順次表示させるように構成したので、メーカ標準のパラメータＶ〜Ｙを表示させ、続いて、自動的に、各パラメータＡ〜Ｆを表示させることができる。これによって、メーカ標準のパラメータＶ〜Ｙを表示させ、それに続いて各パラメータＡ〜Ｆを表示させるにあたって、何ら操作を不要とすることができるなど、使い勝手の向上をより図ることができる。
【００６３】
次に、本発明の第５実施例について、図１６ないし図１８を参照して説明する。尚、第１実施例と同一部分には同一符号ならびに同一ステップ番号を付して説明を省略し、以下、異なる部分について説明する。
この第５実施例では、制御回路４３は、図１６に示す表示制御処理において、前述した第１実施例の図１０に示したステップＳ２１〜Ｓ２３の処理に先立って、ステップＳ５１，Ｓ５２の処理を実行するようになっている。すなわち、制御回路４３は、使用者がパネルキー３３により機能別の初期化操作を行ったか否かを判断し、機能別の初期化操作が行われたときに（ステップＳ５１において「ＹＥＳ」と判断）、設定変更回数格納部４８に格納されている設定変更回数を、その機能に対応して例えば図１７に示すような設定変更回数、つまり、それぞれ２回，１回，６回，５回，４回，３回に変更する（ステップＳ５２）。
【００６４】
制御回路４３は、前述した第１実施例で説明したステップＳ２１〜Ｓ２３の処理を実行し、このとき、設定変更回数が変更されていることにしたがって、図１８に示すパラメータ表示処理を実行する（ステップＳ５３〜Ｓ５８）。
【００６５】
この第５実施例によれば、制御回路４３は、各種の機能毎に設定変更格納部４８に格納されている設定変更回数を変更し、その変更した設定変更回数にしたがって、各パラメータＡ〜Ｆを順次表示させるように構成したので、各パラメータＡ〜Ｆを、適宜、機能毎に対応した表示順序により表示させることができ、これによって、使い勝手の向上をより図ることができる。
【００６６】
次に、本発明の第６実施例について、図１９を参照して説明する。尚、第５実施例と同一部分には同一ステップ番号を付して説明を省略し、以下、異なる部分について説明する。
この第６実施例では、制御回路４３は、図１９に示す表示制御処理において、前述した第５実施例の図１６に示したステップＳ５１，Ｓ５２の処理の後に、ステップＳ５３の処理を実行するようになっている。具体的には、制御回路４３は、使用者がパネルキー３３により機能別の初期化操作を行ったか否かを判断し、機能別の初期化操作が行われたときに（ステップＳ５１において「ＹＥＳ」と判断）、設定変更回数格納部４８に格納されている設定変更回数を、その機能に対応して例えば図１７に示したような設定変更回数に変更し（ステップＳ５２）、続いて、パラメータ値格納部４７に格納されているパラメータ値を、その機能に対応したパラメータ値に変更する（ステップＳ５３）。
【００６７】
制御回路４３は、前述した第１実施例で説明したステップＳ２１〜Ｓ２３の処理を実行し、このとき、設定変更回数が変更されていることにしたがって、図１８に示したパラメータ表示処理を実行する（ステップＳ５３〜Ｓ５８）。
【００６８】
この第６実施例によれば、制御回路４３は、各種の機能毎に設定変更格納部４８に格納されている設定変更回数を変更し、その変更した設定変更回数にしたがって、各パラメータＡ〜Ｆを順次表示させると共に、各種の機能毎にパラメータ値格納部４７に格納されているパラメータ値を変更するように構成したので、各パラメータＡ〜Ｆを、機能毎に対応した表示順序により表示させることができると共に、それら各種の機能毎にパラメータ値を自動的に変更することができ、これによって、使い勝手の向上をより図ることができる。
【００６９】
次に、本発明の第７実施例について、図２０を参照して説明する。
この第７実施例では、上記制御回路４３が本発明でいう初期化手段として機能するもので、使用者がパネルキー３３により初期化操作を行うと、これに伴って、制御回路４３は、設定変更回数格納部４８に初期化信号を出力し、設定変更回数格納部４８に格納されている設定変更回数の値を初期化する（全て０回に設定する）ようになっている。
【００７０】
このとき、使用者がパネルキー３３によりパラメータ表示操作を行うと、設定変更回数格納部４８に格納されている設定変更回数の値が初期化されているので、制御回路４３は、図２０に示すパラメータ表示処理において、パラメータ格納部４４の初期状態、つまり、パラメータＡ，パラメータＢ，パラメータＣ，パラメータＤ，パラメータＥ，パラメータＦの配列にしたがって各パラメータ表示を表示部４５により表示器２６に順次表示させる（ステップＳ６１〜Ｓ６５）。
【００７１】
この第７実施例によれば、使用者が初期化操作を行うと、制御回路４３は、設定変更回数格納部４８に格納されている設定変更回数を初期化し、各パラメータＡ〜Ｆがパラメータ格納部４４の初期状態にしたがって順次表示されるように構成したので、適宜、設定変更回数とは無関係に、各パラメータＡ〜Ｆを表示させることができ、これによって、使い勝手の向上をより図ることができる。
【００７２】
次に、本発明の第８実施例について、図２１を参照して説明する。尚、第１実施例と同一部分には同一符号を付して説明を省略し、以下、異なる部分について説明する。
この第８実施例に示すインバータ装置５１は、前述した第１実施例に示したインバータ装置２１に、設定変更回数記憶保持手段としての設定変更回数記憶保持部５２を加えて構成されている。設定変更回数記憶保持部５２は、設定変更回数格納部４８に格納されている設定変更回数を一時的もしくは永久的に記憶保持すすることが可能に構成されている。
【００７３】
しかして、使用者がパネルキー３３により設定変更回数記憶保持操作を行うと、これに伴って、制御回路４３は、設定変更回数格納部４８に格納されている設定変更回数を一時的もしくは永久的に設定変更回数記憶保持部５２に記憶保持させ、また、使用者がパネルキー３３により設定変更回数格納操作を行うと、これに伴って、制御回路４３は、設定変更回数記憶保持部５２に記憶保持されている設定変更回数を設定変更回数格納部４８に格納させるようになっている。
【００７４】
この第８実施例によれば、使用者が設定変更回数記憶保持操作もしくは設定変更回数記格納操作を行うと、制御回路４３は、設定変更回数格納部４８と設定変更回数記憶保持部５２との間で設定変更回数を転送させるように構成したので、設定変更回数を、適宜、設定変更回数格納部４８に格納させたり、設定変更回数記憶保持部５２に一時的もしくは永久的に記憶保持させることができ、これによって、使い勝手の向上をより図ることができる。
【００７５】
次に、本発明の第９実施例について、図２２を参照して説明する。尚、第１実施例と同一部分には同一符号を付して説明を省略し、以下、異なる部分について説明する。
この第９実施例に示すインバータ装置６１は、前述した第１実施例に示したインバータ装置２１に、外部装置接続手段としての外部装置接続部６２を加えて構成されている。外部装置接続部６２は、このインバータ装置６１の外部に設けられた例えばパーソナルコンピュータなどの外部装置（図示せず）が接続されるようになっており、制御回路４３は、この外部装置接続部６２を介して、パラメータ値格納部４７に格納されているパラメータ値や設定変更回数格納部４８に格納されている設定変更回数を外部装置に転送させたり、外部装置からの指令に基づいてパラメータ値格納部４７に格納されるパラメータ値や設定変更回数格納部４８に格納される設定変更回数を設定することができるようになっている。
【００７６】
この第９実施例によれば、制御回路４３は、インバータ装置６１と外部装置との間で、例えばパラメータ値格納部４７に格納されているパラメータ値や設定変更回数格納部４８に格納されている設定変更回数を転送させるように構成したので、例えばインバータ装置２１を遠隔制御することができるなど、これによって、使い勝手の向上をより図ることができる。
【００７７】
【発明の効果】
以上の説明によって明らかなように、請求項１記載のインバータ装置によれば、パラメータ値がそれよりも以前に設定されていたパラメータ値に対して変更されてパラメータ値格納手段に格納されたことに応じて、設定変更回数格納手段が、各パラメータ毎に、その設定変更された回数を示す設定変更回数を格納し、これ以降、制御手段が、その設定変更回数格納手段に格納されている設定変更回数に基づいて各パラメータの表示順序を確定し、その確定した表示順序にしたがって各パラメータが表示手段により順次表示させるように構成したので、各パラメータは、設定変更の頻度にしたがって順次表示されるようになり、これに伴って、使用者は、それら順次表示されたパラメータに対してパラメータ値を順次設定することができる。
【００７８】
このとき、従来とは異なって、パラメータ格納手段に設定されているパラメータの配列を変更するという操作が不要となり、また、パラメータが表示手段に表示されるにあたっては、パラメータ値がそれよりも以前に変更されて設定されたか否かの変更情報に依存するものではなく、設定変更回数に依存するものであるので、例えば設定変更の頻度が高いパラメータを設定変更の頻度が低いパラメータよりも優先させて表示させることができ、これによって、使い勝手の向上を図ることができる。
また、設定変更回数格納手段に格納されている設定変更回数のうちの各種機能毎にあらかじめ設定された所定のパラメータに対応した設定変更回数を、あらかじめ設定された所定の設定変更回数に変更可能に構成したので、所定のパラメータに対応した設定変更回数を所定の設定変更回数に変更することによって、各パラメータを、適宜、機能毎に対応した表示順序により表示させることができ、これによって、使い勝手の向上をより図ることができる。
請求項２記載のインバータ装置によれば、設定変更回数格納手段に格納されている設定変更回数のうちの各種機能毎にあらかじめ設定された所定のパラメータに対応した設定変更回数を、あらかじめ設定された所定の設定変更回数に変更可能であると共に、その所定のパラメータに対応したパラメータ値を、あらかじめ設定された所定のパラメータ値に変更可能に構成したので、所定のパラメータに対応した設定変更回数を所定の設定変更回数に変更すると共に、所定のパラメータに対応したパラメータ値を所定のパラメータ値に変更することによって、各パラメータを、適宜、機能毎に対応した表示順序により表示させることができると共に、それら各種の機能毎にパラメータ値を自動的に変更することができ、これによって、使い勝手の向上をより図ることができる。
【００７９】
請求項３記載のインバータ装置によれば、設定変更回数が降順もしくは昇順となるように各パラメータが順次表示されるように構成したので、降順に設定することによって、設定変更の頻度が高いパラメータを設定変更の頻度が低いパラメータよりも優先して表示させることができ、一方、昇順に設定することによって、設定変更の頻度が低いパラメータを設定変更の頻度が高いパラメータよりも優先して表示させることができ、これらを使い分けることによって、使い勝手の向上をより図ることができる。
【００８３】
請求項４記載のインバータ装置によれば、各パラメータが、常には、設定変更回数格納手段に格納されている設定変更回数に基づいて確定された表示順序にしたがって順次表示され、初期化手段により設定変更回数格納手段に格納されている設定変更回数が初期化されているときには、パラメータ格納手段に設定されている所定の配列にしたがって順次表示されるように構成したので、初期化することによって、適宜、設定変更回数とは無関係に、各パラメータを順次表示させることができ、これによって、使い勝手の向上をより図ることができる。
【００８４】
請求項５記載のインバータ装置によれば、設定変更回数格納手段に格納されている設定変更回数が設定変更回数記憶保持手段に記憶保持可能であると共に、設定変更回数記憶保持手段に記憶保持されている設定変更回数が設定変更回数格納手段に格納可能に構成したので、設定変更回数を、適宜、設定変更回数格納手段に格納させたり、設定変更回数記憶保持手段に一時的もしくは永久的に記憶保持させることができ、これによって、使い勝手の向上をより図ることができる。
【００８５】
請求項６記載のインバータ装置によれば、設定変更回数格納手段に格納されている設定変更回数が外部装置接続手段により外部装置との間で転送可能に構成したので、例えばインバータ装置を遠隔制御することができるなど、これによって、使い勝手の向上をより図ることができる。
【図面の簡単な説明】
【図１】本発明の第１実施例を示す機能ブロック図
【図２】外観斜視図
【図３】フロントカバーが開放された状態を示す正面図
【図４】表示器の表示状態を示す図
【図５】パラメータの階層構成を示す図
【図６】パラメータ格納部における各パラメータの配列の格納状態を示す図
【図７】設定変更回数格納部における各パラメータの設定変更回数の格納状態を示す図
【図８】表示制御処理を示すフローチャート
【図９】図６相当図
【図１０】パラメータ表示処理を示すフローチャート
【図１１】本発明の第２実施例を示す図８相当図
【図１２】図６相当図
【図１３】図１０相当図
【図１４】本発明の第３実施例を示す図１０相当図
【図１５】本発明の第４実施例を示す図１０相当図
【図１６】本発明の第５実施例を示す図８相当図
【図１７】図７相当図
【図１８】図１０相当図
【図１９】本発明の第６実施例を示す図８相当図
【図２０】本発明の第７実施例を示す図８相当図
【図２１】本発明の第８実施例を示す図１相当図
【図２２】本発明の第９実施例を示す図１相当図
【図２３】従来例を示す図１相当図
【図２４】図６相当図
【図２５】図１０相当図
【図２６】他の従来例を示す図１相当図
【図２７】パラメータ補助格納部における各パラメータの配列の格納状態を示す図
【図２８】図１０相当図
【図２９】さらに他の従来例を示す図１相当図
【図３０】変更情報格納部における変更情報の格納状態を示す図
【図３１】図１０相当図
【符号の説明】
図面中、２１はインバータ装置、４３は制御回路（制御手段、初期化手段）、４４はパラメータ格納部（パラメータ格納手段）、４５は表示部（表示手段）、４６は設定部（設定手段）、４７はパラメータ値格納部（パラメータ値格納手段）、４８は設定変更回数格納部（設定変更回数格納手段）、５１はインバータ装置、５２は設定変更回数記憶保持部（設定変更回数記憶保持手段）、６１はインバータ装置、６２は外部装置接続部（外部装置接続手段）である。
【図１】
0004018225.tif 000002
【図２】
0004018225.tif 000003
【図３】
0004018225.tif 000004
【図４】
0004018225.tif 000005
【図５】
0004018225.tif 000006
【図６】
0004018225.tif 000007
【図７】
0004018225.tif 000008
【図８】
0004018225.tif 000009
【図９】
0004018225.tif 000010
【図１０】
0004018225.tif 000011
【図１１】
0004018225.tif 000012
【図１２】
0004018225.tif 000013
【図１３】
0004018225.tif 000014
【図１４】
0004018225.tif 000015
【図１５】
0004018225.tif 000016
【図１６】
0004018225.tif 000017
【図１７】
0004018225.tif 000018
【図１８】
0004018225.tif 000019
【図１９】
0004018225.tif 000020
【図２０】
0004018225.tif 000021
【図２１】
0004018225.tif 000022
【図２２】
0004018225.tif 000023
【図２３】
0004018225.tif 000024
【図２４】
0004018225.tif 000025
【図２５】
0004018225.tif 000026
【図２６】
0004018225.tif 000027
【図２７】
0004018225.tif 000028
【図２８】
0004018225.tif 000029
【図２９】
0004018225.tif 000030
【図３０】
0004018225.tif 000031
【図３１】
0004018225.tif 000032